(57)【要約】      （修正有）【課題】各店舗のスタッフが本部スタッフや他店のスタッフに直接情報を伝達したり、本部スタッフが店舗スタッフに直接情報を伝達できる販売支援情報交換システムを提供する。【解決手段】販売支援情報交換部20は、本部スタッフのＰＣ端末17に登録画面を送信し、同端末17から送信された販売支援情報を販売支援情報ＤＢ15に格納する処理と、店舗スタッフのタブレット端末18に販売支援情報のタイトルが列記された閲覧画面を送信する処理と、同端末18から特定の販売支援情報の閲覧リクエストが送信された場合に、販売支援情報の全文と返信情報入力欄が設けられた詳細画面を送信する処理と、返信情報が送信された場合に、基の販売支援情報に関連付けて販売支援情報ＤＢ15に格納する処理と、基の販売支援情報のタイトルと返信情報のタイトルが列記された閲覧画面をタブレット端末18に送信する処理を実行する。【選択図】図１
2012168741.tif 000002
【特許請求の範囲】
【請求項１】
チェーンの本部スタッフの属性情報、及び当該チェーンに属する各店舗の店舗スタッフの属性情報を格納しておくユーザ管理データベースと、
チェーンに属する各店舗の属性情報を格納しておく店舗管理データベースと、
販売支援情報を格納する販売支援情報データベースと、
本部スタッフの操作する端末装置、あるいは店舗スタッフの操作する端末装置に対して販売支援情報登録画面を送信し、販売支援情報の入力を促す手段と、
本部スタッフの操作する端末装置、あるいは店舗スタッフの操作する端末装置から販売支援情報が送信された場合に、当該スタッフのIDに関連付けて上記販売支援情報データベースに格納する手段と、
本部スタッフの操作する端末装置、あるいは店舗スタッフの操作する端末装置から、販売支援情報閲覧のリクエストが送信された場合に、上記販売支援情報データベースから販売支援情報を抽出し、少なくとも各販売支援情報の一部が列記された販売支援情報閲覧画面を当該端末装置に送信する手段と、
当該端末装置から特定の販売支援情報の閲覧リクエストが送信された場合に、当該販売支援情報の全文と、返信情報入力欄が設けられた詳細画面を当該端末装置に送信する手段と、
当該端末装置から返信情報が送信された場合に、これを上記販売支援情報に関連付けて上記販売支援情報データベースに格納する手段と、
上記販売支援情報の少なくとも一部と、上記返信情報の少なくとも一部が列記された販売支援情報閲覧画面を生成し、上記端末装置に送信する手段と、
を備えたことを特徴とする販売支援情報交換システム。
【請求項２】
上記ユーザ管理データベースには、各店舗スタッフの所属店舗を特定する情報が格納されており、
上記店舗管理データベースには、各店舗の分類情報が格納されており、
上記販売支援情報登録画面には、店舗の分類情報を指定する欄が設けられており、
上記端末装置から販売支援情報登録画面を通じて入力された販売支援情報が送信された場合に、上記店舗管理データベースを参照し、指定された分類に該当する店舗を特定する手段と、
上記ユーザ管理データベースを参照し、当該店舗に属する店舗スタッフを特定する手段と、
当該店舗スタッフの操作する端末装置に対して、新着の販売支援情報が存在することを伝えるメッセージを送信する手段と、
を備えたことを特徴とする請求項１に記載の販売支援情報交換システム。
【請求項３】
上記ユーザ管理データベースには、各店舗スタッフの所属店舗を特定する情報と、各店舗スタッフの店舗内ポジションを特定する情報が格納されており、
上記店舗管理データベースには、各店舗の分類情報が格納されており、
上記販売支援情報登録画面には、店舗の分類情報及び店舗スタッフの店舗内ポジションを指定する欄が設けられており、
上記端末装置から販売支援情報登録画面を通じて入力された販売支援情報が送信された場合に、上記店舗管理データベースを参照し、指定された分類に該当する店舗を特定する手段と、
上記ユーザ管理データベースを参照し、当該店舗に属する店舗スタッフの中で、指定されたポジションに該当する者を特定する手段と、
当該店舗スタッフの操作する端末装置に対して、新着の販売支援情報が存在することを伝えるメッセージを送信する手段と、
を備えたことを特徴とする請求項１に記載の販売支援情報交換システム。
【請求項４】
上記販売支援情報登録画面には、端末装置内に格納された添付ファイルを指定するための設定欄が設けられており、
上記端末装置から販売支援情報と共に添付ファイルが送信された場合に、当該添付ファイルを所定の記憶装置に格納すると共に、当該格納場所を示す情報を上記販売支援情報データベースに記録する手段を備え、
上記販売支援情報閲覧画面に列記された販売支援情報の中、添付ファイルが存在するものについては添付ファイル閲覧ボタンが表示され、
上記端末装置において当該添付ファイル閲覧ボタンが押下された場合に、対応の添付ファイルを当該端末装置に送信する手段を備えたことを特徴とする請求項１〜３の何れかに記載の販売支援情報交換システム。
【発明の詳細な説明】
【技術分野】
【０００１】
この発明は販売支援情報交換システムに係り、特に、商品販売を促進するのに有効な不定形の情報を、チェーンの店舗スタッフ相互間、あるいは本部スタッフと店舗スタッフとの間で共有するための技術に関する。
【背景技術】
【０００２】
大手スーパーマーケットチェーンや外食チェーンのように、日本全国に多数の店舗を展開している業態においては、通常、チェーンの総本部から地区本部へと各種情報が配信された後、地区本部から各店舗の店長へと情報が伝達される。
上記した情報伝達ルート以外にも、各店舗の管理や指導を任されたスーパーバイザーやマネージャーと称する役職者から、各店舗の店長に対して直接指示が下されるケースもある。
これに対し店長は、朝礼やミーティング時に口頭で上層部からの情報を店舗内のスタッフに伝達する。
【非特許文献１】カッパ・クリエイト株式会社／採用情報  インターネットURL：http://www.kappa-create.co.jp/company/recruit/interview_sakakida.shtml  検索日：２０１１年１月１８日
【発明の開示】
【発明が解決しようとする課題】
【０００３】
このように、従来の伝達方式では、末端のスタッフに情報が届くまでに多くの人間を経由する必要があり、その分、時間を要するのは当然のこと、途中で情報の内容が変質してしまうという問題があった。
また、情報伝達ルートは上意下達を旨として設計されているため、上からの指令に対して末端のスタッフが疑問を持ったとしても、これを即座に質す途がなかった。もちろん、店長を通じて本部に照会してもらう方法はあるが、一介のパート店員やアルバイト店員にとって店長の手を煩わせることは簡単なことではなく、疑問を解消しないで放置している間にトラブルが顕在化する危険性もあった。
さらに、同一チェーンに属する他店のスタッフとの間で成功事例等について情報交換を行うことより、自店の売上促進に役立つ場合が想定されるが、個人的な繋がりがある場合を除き、現状では店舗間における横方向の情報伝達ルートは全く整備されていない。
【０００４】
この発明は、このような従来の課題を解決するために案出されたものであり、小売チェーンや外食チェーンに属する各店舗のスタッフが、本部スタッフや他店のスタッフに直接情報を伝達したり、本部スタッフから店舗のスタッフに直接情報を伝達したりすることを可能にする技術の実現を目的としている。
【課題を解決するための手段】
【０００５】
上記の目的を達成するため、請求項１に記載した販売支援情報交換システムは、チェーンの本部スタッフの属性情報、及び当該チェーンに属する各店舗の店舗スタッフの属性情報を格納しておくユーザ管理データベースと、チェーンに属する各店舗の属性情報を格納しておく店舗管理データベースと、販売支援情報を格納する販売支援情報データベースと、本部スタッフの操作する端末装置、あるいは店舗スタッフの操作する端末装置に対して販売支援情報登録画面を送信し、販売支援情報の入力を促す手段と、本部スタッフの操作する端末装置、あるいは店舗スタッフの操作する端末装置から販売支援情報が送信された場合に、当該スタッフのIDに関連付けて上記販売支援情報データベースに格納する手段と、本部スタッフの操作する端末装置、あるいは店舗スタッフの操作する端末装置から、販売支援情報閲覧のリクエストが送信された場合に、上記販売支援情報データベースから販売支援情報を抽出し、少なくとも各販売支援情報の一部が列記された販売支援情報閲覧画面を当該端末装置に送信する手段と、当該端末装置から特定の販売支援情報の閲覧リクエストが送信された場合に、当該販売支援情報の全文と、返信情報入力欄が設けられた詳細画面を当該端末装置に送信する手段と、当該端末装置から返信情報が送信された場合に、これを上記販売支援情報に関連付けて上記販売支援情報データベースに格納する手段と、上記販売支援情報の少なくとも一部と、上記返信情報の少なくとも一部が列記された販売支援情報閲覧画面を生成し、上記端末装置に送信する手段とを備えたことを特徴としている。
【０００６】
請求項２に記載した販売支援情報交換システムは、請求項１のシステムを前提とし、さらに、上記ユーザ管理データベースには各店舗スタッフの所属店舗を特定する情報が格納されており、上記店舗管理データベースには各店舗の分類情報が格納されており、上記販売支援情報登録画面には店舗の分類情報を指定する欄が設けられており、上記端末装置から販売支援情報登録画面を通じて入力された販売支援情報が送信された場合に、上記店舗管理データベースを参照し、指定された分類に該当する店舗を特定する手段と、上記ユーザ管理データベースを参照し、当該店舗に属する店舗スタッフを特定する手段と、当該店舗スタッフの操作する端末装置に対して、新着の販売支援情報が存在することを伝えるメッセージを送信する手段とを備えたことを特徴としている。
【０００７】
請求項３に記載した販売支援情報交換システムは、請求項１のシステムを前提とし、さらに、上記ユーザ管理データベースには各店舗スタッフの所属店舗を特定する情報と、各店舗スタッフの店舗内ポジションを特定する情報が格納されており、上記店舗管理データベースには各店舗の分類情報が格納されており、上記販売支援情報登録画面には店舗の分類情報及び店舗スタッフの店舗内ポジションを指定する欄が設けられており、上記端末装置から販売支援情報登録画面を通じて入力された販売支援情報が送信された場合に、上記店舗管理データベースを参照し、指定された分類に該当する店舗を特定する手段と、上記ユーザ管理データベースを参照し、当該店舗に属する店舗スタッフの中で、指定されたポジションに該当する者を特定する手段と、当該店舗スタッフの操作する端末装置に対して、新着の販売支援情報が存在することを伝えるメッセージを送信する手段とを備えたことを特徴としている。
【０００８】
請求項４に記載した販売支援情報交換システムは、請求項１〜３のシステムを前提とし、さらに、上記販売支援情報登録画面には端末装置内に格納された添付ファイルを指定するための設定欄が設けられており、上記端末装置から販売支援情報と共に添付ファイルが送信された場合に、当該添付ファイルを所定の記憶装置に格納すると共に、当該格納場所を示す情報を上記販売支援情報データベースに記録する手段を備え、上記販売支援情報閲覧画面に列記された販売支援情報の中、添付ファイルが存在するものについては添付ファイル閲覧ボタンが表示され、上記端末装置において当該添付ファイル閲覧ボタンが押下された場合に、対応の添付ファイルを当該端末装置に送信する手段を備えたことを特徴としている。
【発明の効果】
【０００９】
請求項１に記載の販売支援情報交換システムによれば、本部スタッフのみならず、店舗スタッフも自己の操作する端末装置から販売支援情報をアップすることができ、またアップされた販売支援情報は本部スタッフのみならず店舗スタッフも閲覧できるため、従来の上意下達式の情報伝達ルートでは不可能であった店舗スタッフから本部スタッフへの情報伝達や、店舗をまたいだ店舗スタッフ間の情報伝達が可能となる。
しかも、各スタッフは閲覧画面に表示された販売支援情報に対して、返信情報を販売支援情報の一種としてアップすることができるため、最初の販売支援情報を起点にして、ネット上で多数のスタッフによる議論を展開させることが可能となる。
【００１０】
請求項２または３に記載の販売支援情報交換システムによれば、各スタッフは販売支援情報の登録時に閲覧対象者を指定することができ、販売支援情報の登録後には自動的に該当スタッフに対して新着を告げるメッセージが送信される仕組みを備えているため、販売促進情報を必要な範囲でリアルタイムに共有することが可能となる。
【００１１】
請求項４に記載の販売支援情報交換システムによれば、各スタッフは各販売支援情報に添付ファイルを関連付けることができ、閲覧画面において対応のボタンが押下された場合には当該ファイルが端末装置に送信される仕組みを備えているため、テキストのみでは伝えにくい情報を画像等を用いて効果的に伝達することが可能となる。
【発明を実施するための最良の形態】
【００１２】
図１は、この発明に係る販売支援情報交換システム10の全体構成を示すブロック図であり、SNSエンジン11と、ＤＢ群12とを備えている。
ここで「SNS」とは、Social Network Serviceの略称であり、人と人との繋がり（社会的ネットワーク）をインターネットのWeb上で実現する会員制のサービスを意味している。具体的には、既存会員の招待等によってSNSの会員になったユーザは、個人的な日記やスケジュールを公開したり、他の会員と交流する場がネット上で付与される。また、会員相互間で意思の疎通を図るためのツールとして、電子メール類似のメッセージ交換サービスもユーザには提供される。
このシステム10は、このような一般的なSNSの会員管理機能や会員相互間の交流機能を基本的に利用しつつ、一つの小売チェーンに属するあらゆる階層のスタッフ（バイヤー、スーパーバイザー、店長、売場担当者等）間における販売支援情報の交換サービスを提供するものである。
【００１３】
SNSエンジン11は、日記公開機能やメッセージ交換機能といった一般的なSNS機能の他に、販売支援情報の交換に特有の機能を備えたアプリケーションプログラムをサーバコンピュータのCPUが実行することにより、実現される。SNSエンジン11の具体的な機能構成については、後に詳述する。
【００１４】
ＤＢ群12は、SNSエンジン11の処理に伴って生じる様々なデータを格納する各種データベースを包含するものであり、上記サーバコンピュータの外部記憶装置内に設けられている。ＤＢ群12に含まれる具体的なデータベースとしては、ユーザ管理ＤＢ13、店舗管理ＤＢ14、販売支援情報ＤＢ15等が該当する。
【００１５】
上記SNSエンジン11には、インターネット16を介して、小売りチェーンに属する各スタッフ（バイヤー、スーパーバイザー、店長、売場担当者等）が操作する多数の端末装置が接続されている。
ここで「端末装置」としては、Webブラウザを搭載したＰＣ端末17やタブレット端末18、スマートフォン等よりなる。
特に売場担当者は、端末装置として可搬性と操作性に優れたタッチパッド付のタブレット端末18を利用することが望ましい。
【００１６】
ユーザ管理ＤＢ13内には、このチェーンに属する本部スタッフ（バイヤー、スーパーバイザー等）や、各店舗のスタッフ（店長、売場担当者等）の属性情報が格納されている。ここでいう店舗スタッフには、正社員のみならずパート店員やアルバイト店員も含まれている。
図２(a)は、ユーザ管理ＤＢ13に格納されたレコードの具体例を示すものであり、ユーザID、パスワード、氏名、生年月日、性別、所属店舗、店舗内ポジション、本部内ポジション等のデータ項目を備えている。
「店舗内ポジション」には、例えば「店長」や「鮮魚担当者」、「精肉担当者」等、店舗スタッフのポジション（役職、担当売場等）を表す情報が格納される。
「本部内ポジション」には、例えば「バイヤー」や「スーパーバイザー」、「マネージャー」、「関東地域担当者」等、本部スタッフのポジション（役職、担当地域等）を表す情報が格納される。
【００１７】
店舗管理ＤＢ14内には、このチェーンに属する全店舗の属性情報が格納されている。
図２(b)は、店舗管理ＤＢ14に格納されたレコードの具体例を示すものであり、店舗ID、店舗名称、所在地、地域、店舗タイプ等のデータ項目を備えている。これらの中、地域及び店舗タイプが、店舗の分類情報に該当する。
【００１８】
一般的なSNSサービスと同様、各スタッフには、専用のマイページが割り当てられ（図示省略）、このマイページを起点に自己のプロフィールを公開したり、日記やスケジュールを公開することができる。
また、電子メール類似のメッセージ交換サービスを利用することにより、他の特定のスタッフと意見交換を行うことができる。
さらに、掲示板類似のサービスを応用することにより、販売支援情報を全スタッフ間で共有することが可能となる。
【００１９】
図３は、この販売支援情報の交換に係る本システム10の機能構成を示すものであり、SNSエンジン11内の販売支援情報交換部20により、スタッフ間で販売支援情報の交換が行われる様子が描かれている。
以下、図４のフローチャートに従い、販売支援情報交換部20による処理手順を説明する。
【００２０】
まず、販売支援情報の新規登録を希望する本部のバイヤーが、ＰＣ端末17のWebブラウザ上に表示させたマイページ中の「販売支援情報の登録」ボタンをクリックすると、これを受けた販売支援情報交換部20は（Ｓ10）、ＰＣ端末17に対し販売支援情報登録画面25を送信する（Ｓ12）。
【００２１】
図５は、この販売支援情報登録画面25を示すものであり、カテゴリ選択欄26と、対象店舗タイプ選択欄27と、対象地域選択欄28と、対象者選択欄29と、タイトル入力欄30と、本文入力欄31と、添付ファイル指定欄32とを備えている。
【００２２】
カテゴリ選択欄26は、登録しようとしている販売支援情報の種類を特定する項目であり、▼（逆黒三角）ボタンをクリックすると、「一般伝達事項」、「朝礼ネタ」、「仕入情報」、「販売方法」、「クレーム情報」、「トラブル報告」等のカテゴリが列記されたプルダウンメニューが展開される。
この中からバイヤーが「仕入情報」を選択すると、当該販売支援情報に対して仕入情報のカテゴリが設定される。
【００２３】
対象店舗タイプ選択欄27は、当該販売支援情報を主に配信すべき店舗の類型を特定する項目であり、▼ボタンをクリックすると、「地域旗艦店」、「一般店」、「都市型駅前店」、「ミニ店舗」等の店舗タイプが列記されたプルダウンメニューが展開される。
この中からバイヤーが「対象店舗タイプ１」として「地域旗艦店」を、また「対象店舗タイプ２」として「一般店」を選択すると、当該販売支援情報に対して「地域旗艦店」及び「一般店」の属性が設定される。
【００２４】
さらに多くの対象店舗タイプを指定したい場合、バイヤーは「対象店舗タイプの追加」ボタン33をクリックし、「対象店舗タイプ３〜ｎ」の選択欄を追加することができる。
バイヤーは、この対象店舗タイプ選択欄27の全てをブランクのままにしておくこともできる。この場合、全店舗タイプが当該販売支援情報の配信対象となる。
【００２５】
対象地域選択欄28は、当該販売支援情報を主に配信すべき店舗の所在地域を特定する項目であり、▼ボタンをクリックすると、「北海道地域」、「東北地域」、「関東地域」、「中部地域」等の地域が列記されたプルダウンメニューが展開される。
この中からバイヤーが「対象地域１」として「関東地域」を、また「対象地域２」として「中部地域」を、「対象地域３」として「北陸地域」を選択すると、当該販売支援情報に対して「関東地域」、「中部地域」及び「北陸地域」の属性が設定される。
【００２６】
さらに多くの対象地域を指定したい場合、バイヤーは「対象地域の追加」ボタン34をクリックし、「対象地域４〜ｎ」の選択欄を追加することができる。
バイヤーは、この対象地域選択欄28の全てをブランクのままにしておくこともできる。この場合、全地域の店舗が当該販売支援情報の配信対象となる。
【００２７】
対象者選択欄29は、当該販売支援情報を主に配信すべきスタッフのポジションを特定する項目であり、▼ボタンをクリックすると、「店長」、「鮮魚担当者」、「青果担当者」、「精肉担当者」等の店舗内ポジションや、「スーパーバイザー」、「バイヤー」等の本部内ポジションが列記されたプルダウンメニューが展開される。
この中からバイヤーが「対象者１」として「店長」を、また「対象者２」として「鮮魚担当者」を選択すると、当該販売支援情報に対して「店長」及び「鮮魚担当者」の店舗内ポジションが属性として設定される。
【００２８】
さらに多くの対象者を指定したい場合、バイヤーは「対象者３」の選択欄において他のポジションを選択すればよい。また、「対象者の追加」ボタン35をクリックすることにより、「対象者４〜ｎ」の選択欄を追加することができる。
バイヤーは、この対象者選択欄29の全てをブランクのままにしておくこともできる。この場合、ポジションを問わず全スタッフが当該販売支援情報の配信対象となる。
【００２９】
つぎにバイヤーは、タイトル入力欄30に当該販売支援情報のタイトルを「毛ガニ大量入荷」のように打鍵入力すると共に、本文入力欄31に同販売支援情報の本文を「北海道産の毛ガニが大量入荷しました。明日の目玉商品に設定して下さい。…」のように打鍵入力する。
ここで入力される「販売支援情報」の内容については特に限定はなく、バイヤーが「店舗における販売に何らかの意味で役に立つ情報である」と主観的に認識する情報を、フリーワードで書き込むことができる。
【００３０】
当該販売支援情報を補強するための画像ファイル（毛ガニの見本写真等）が存在する場合、バイヤーは添付ファイル指定欄32においてこれを指定する。
具体的には、参照ボタン36をクリックするとファイル選択用のダイアログが開くため、バイヤーはこの中でＰＣ端末17内の所定フォルダに格納された画像ファイルを指定する。
他の添付ファイルを追加したい場合、バイヤーは「他のファイルを追加」ボタン37をクリックして添付ファイル指定欄及び参照ボタンを追加させた後、上記と同様の手順でファイルの指定を行う。
添付可能なファイルは画像ファイルに限定されるものではなく、動画ファイルや文書ファイル（txt、pdf、csv、xls、ppt等）であってもよい。
【００３１】
以上の作業を完了したバイヤーが登録ボタン38をクリックすると、選択情報や入力情報、添付ファイルがシステム10に送信される。
これを受けた販売支援情報交換部20は（Ｓ14）、送信された情報を販売支援情報ＤＢ15等に保存する（Ｓ16）。図６は、販売支援情報ＤＢ15に格納されたレコードの具体例を示すものであり、シリアルNO、ユーザID、登録日時、カテゴリ、対象店舗タイプ１〜ｎ、対象地域１〜ｎ、対象者１〜ｎ、タイトル、本文、添付ファイルのパス１〜ｎ、上位トピック等のデータ項目を備えている。
送信された添付ファイルは、販売支援情報交換部20によって図示しない外部記憶装置内の所定のディレクトリに格納された後、その格納場所が上記の「添付ファイルのパス１〜ｎ」に記録される。
【００３２】
つぎに販売支援情報交換部20は、ユーザ管理ＤＢ13及び店舗管理ＤＢ14を参照し、登録された販売支援情報に設定された属性にマッチするスタッフを特定する（Ｓ18）。
具体的には、以下の処理を実行する。
(1)全店舗の中から、「地域旗艦店」及び「一般店」以外の店舗を除外する。
(2)「地域旗艦店」及び「一般店」に該当する店舗の中、「関東地域」、「中部地域」及び「北陸地域」以外に所在する店舗を除外する。
(3)残された店舗に属する全スタッフの中で、「店長」及び「鮮魚担当者」以外の者を除外する。
(4)以上の(1)〜(3)のステップを経て残されたスタッフを、当該販売支援情報の配信先と認定する。
【００３３】
つぎに販売支援情報交換部20は、配信先と認定された全スタッフの端末装置に対して、「新着情報あり」のメッセージを送信する（Ｓ20）。
具体的には、各スタッフが自己の端末装置からSNSサービスにログインした際に入力されたユーザIDに基づいて、販売支援情報交換部20は当該端末装置を配信先と認識し、上記メッセージを送信する。
この結果、鮮魚担当者のタブレット端末18上には、「新着情報あり！」の文字と「表示」ボタン40を備えたポップアップウィンドウ41が浮かび上がる。
これに気付いた鮮魚担当者が「表示」ボタン40をタッチすると、これを受けた販売支援情報交換部20は（Ｓ22）、販売支援情報閲覧画面を送信する（Ｓ24）。この結果、タブレット端末18のWebブラウザ上に販売支援情報閲覧画面が表示される。
【００３４】
図７(a)は、この販売支援情報閲覧画面42の一例を示すものであり、メイン領域には当該スタッフにマッチした販売支援情報のタイトル、投稿日時、投稿者のポジションが、新着順に列記されている。
また、各販売支援情報に対する返信情報が投稿されている場合には、販売支援情報から枝分かれするように当該返信情報のタイトル、投稿日時、投稿者のポジションも併記されている。
以下、各販売支援情報の中で、最初に投稿されたオリジナルのものを「メイントピック43」と称し、これに対する派生的な返信情報を「返信トピック44」と称する。また、両者を区別せずに表現する場合には「販売支援情報」と総称する。
【００３５】
各販売支援情報に画像ファイルが添付されている場合、「画像あり！」と表記された画像表示ボタン45が当該販売支援情報の近傍に設けられており、これを鮮魚担当者がタッチすると、画像ビューアが起動して画像ファイルの内容が表示される。
また、添付ファイルが動画ファイルの場合には、「動画あり！」と表記された動画再生ボタン46が販売支援情報の近傍に表示される。これを鮮魚担当者がタッチすると、動画再生プログラムが起動し、動画の再生が開始される。
さらに、添付ファイルが静止画及び動画以外の文書ファイル（拡張子がdoc、txt、pdf、csv、xls等）である場合には、「文書あり！」と表記された文書表示ボタン47が販売支援情報の近傍に表示される。これを鮮魚担当者がタッチすると、対応の文書閲覧用プログラムが起動し、ファイル内容の表示がなされる。
【００３６】
ここで鮮魚担当者が「毛ガニ大量入荷」のメイントピック43をタッチし、当該販売支援情報の閲覧をリクエストすると、これを受けた販売支援情報交換部20は（Ｓ26）、当該販売支援情報の詳細画面を生成し、タブレット端末18に送信する（Ｓ28）。
この結果、図７(b)に示すように、タブレット端末18のWebブラウザ上に販売支援情報の詳細画面48が表示される。この詳細画面48には、販売支援情報の全文表示欄49と、これに対する返信情報入力欄50が設けられている。
【００３７】
販売支援情報の全文を閲覧した上で、これに対し返信することを希望した鮮魚担当者は、返信情報入力欄50のタイトル入力欄51にタイトルを入力すると共に、本文入力欄52に返信内容を記述する。
ここで入力される「返信情報」の内容については特に限定はなく、鮮魚担当者が「オリジナルの販売支援情報に対して何らかの関係がある」と主観的に認識する情報を、自由に書き込むことができる。
さらに、画像ファイル等を添付する場合には、添付ファイル指定欄53において参照ボタン54をタッチし、タブレット端末18内に格納された所望のファイルを指定する。
【００３８】
以上の作業を完了した鮮魚担当者が返信ボタン55をタッチすると、鮮魚担当者の入力情報や添付ファイルがシステム10に送信される。
これを受けた販売支援情報交換部20は（Ｓ30）、送信された販売支援情報を販売支援情報ＤＢ15に格納する（Ｓ32）。この際、「上位トピック」のデータ項目には、バイヤーによって最初に登録されたメイントピック43のシリアルNOが記述される。また、「カテゴリ」、「対象店舗タイプ１〜ｎ」、「対象地域１〜ｎ」、「対象者１〜ｎ」については、メイントピック43について設定された属性情報がそのまま引き継がれる。
また、添付ファイルが存在する場合、販売支援情報交換部20は図示しない外部記憶装置内の所定のディレクトリにこれを格納すると共に、販売支援情報ＤＢ15の「添付ファイルのパス１〜ｎ」にその格納場所を記述する。
【００３９】
つぎに販売支援情報交換部20は、ユーザ管理ＤＢ13及び店舗管理ＤＢ14を参照し、上記と同様の手順に従い、新たに登録された販売支援情報の属性にマッチするスタッフを配信先として特定する（Ｓ34）。
つぎに販売支援情報交換部20は、配信先と特定されたスタッフと、メイントピック43を登録したバイヤーの端末装置に対して、「新着情報あり」のメッセージを送信する（Ｓ36）。
【００４０】
この結果、バイヤーのＰＣ端末17上には、「新着情報あり！」の文字と「表示」ボタンを備えたポップアップウィンドウが浮かび上がる。
これに気付いたバイヤーが「表示」ボタンをクリックすると、販売支援情報閲覧画面42がWebブラウザ上に表示され、自ら投稿したメイントピック43に対して返信トピック44が新たに接ぎ木された様子を認識することができる。
【００４１】
メイントピックに対して子の返信トピックが追加され、さらに子の返信トピックに孫の返信トピックが追加された場合、孫の返信トピックの「上位トピック」項目には直近の返信トピック（子の返信トピック）のシリアルNOが格納されることになるが、販売支援情報交換部20は各販売支援情報の「上位トピック」の値を辿っていくことにより、直系に連なる全販売支援情報を特定し、これらの販売支援情報を登録したすべてのスタッフに対して「新着情報あり」のメッセージを送信する。
この結果、一つの返信トピックが登録された場合、これに関連する全スタッフが新着メッセージの到着をリアルタイムに認識することが可能となる。
【００４２】
鮮魚担当者が、販売支援情報閲覧画面42中の「全情報表示」ボタン60をタッチすると、販売支援情報交換部20は販売支援情報ＤＢ15に格納された販売支援情報を新着順に所定件数分掲載した販売支援情報閲覧画面42を生成し、鮮魚担当者のタブレット端末18に送信する。この結果、鮮魚担当者は自己に直接関係のないトピックをも参照することが可能となる。
【００４３】
また鮮魚担当者は、サイドバーに設けられたカテゴリ選択欄61、対象店舗タイプ選択欄62、対象地域選択欄63、対象者選択欄64、キーワード入力欄65に検索条件を設定することにより、販売支援情報を絞り込み表示させることができる。
【００４４】
例えば、鮮魚担当者がカテゴリ選択欄61で「販売方法」を、対象地域選択欄63で「北海道地域」を指定すると共に、キーワード入力欄65に「毛ガニ AND 陳列」を入力した上で、「絞り込み」ボタン66をクリックすると、販売支援情報交換部20は指定された検索条件にマッチする販売支援情報を販売支援情報ＤＢ15から抽出し、これらの販売支援情報がツリー状に配置された販売支援情報閲覧画面42を生成し、鮮魚担当者のタブレット端末18に送信する。
この結果、鮮魚担当者は「毛ガニの陳列方法」に関してチェーンのスタッフ間で交わされた過去の販売支援情報を、網羅的に参照することが可能となる。
【００４５】
上記においては、本部スタッフであるバイヤーが販売支援情報登録画面25を通じて販売支援情報を登録し、店舗スタッフがこれを閲覧する例を説明したが、この発明はこれに限定されるものではなく、ある店舗の店舗スタッフが販売支援情報登録画面25を通じて販売支援情報を登録し、他の店舗スタッフがこれを閲覧する用途にも応用可能である。
【００４６】
上記の販売支援情報閲覧画面42及び販売支援情報の詳細画面48のデザインは一例であり、他の表示形式を採用することも当然に可能である。
例えば、販売支援情報閲覧画面42においてメイントピック43と返信トピック44をツリー状に展開表示させる代わりに、メイントピックのタイトルの末尾に返信トピック数に対応した数字を表示させておき、この数字が選択された際に個々の返信トピックが表示されるようにしてもよい。
また上記においては、画像表示ボタン45が選択された時点でビューアが起動し、画像表示がなされる例を示したが、販売支援情報に画像が添付されている場合には初めから画面中に画像が表示されるようにすることもできる。あるいは、販売支援情報に動画が添付されている場合には、予め画面中に動画再生領域を表示させておき、その中の再生ボタンが選択された時点で動画の再生が開始されるようにしてもよい。
【図面の簡単な説明】
【００４７】
【図１】この発明に係る販売支援情報交換システムの全体構成を示すブロック図である。
【図２】ユーザ管理ＤＢ及び店舗管理ＤＢに登録されたレコードの構成を示す図である。
【図３】販売支援情報の交換処理に係る機能構成を示すブロック図である。
【図４】販売支援情報交換処理の手順を示すフローチャートである。
【図５】販売支援情報登録画面の具体例を示す図である。
【図６】販売支援情報ＤＢに登録されたレコードの構成を示す図である。
【図７】販売支援情報閲覧画面及び販売支援情報の詳細画面を示す図である。
【符号の説明】
【００４８】
10    販売支援情報交換システム
11    SNSエンジン
12    ＤＢ群
16    インターネット
17    ＰＣ端末
18    タブレット端末
20    販売支援情報交換部
25    販売支援情報登録画面
26    カテゴリ選択欄
27    対象店舗タイプ選択欄
28    対象地域選択欄
29    対象者選択欄
30    タイトル入力欄
31    本文入力欄
32    添付ファイル指定欄
38    登録ボタン
41    ポップアップウィンドウ
42    販売支援情報閲覧画面
43    メイントピック
44    返信トピック
45    画像表示ボタン
46    動画再生ボタン
47    文書表示ボタン
48    詳細画面
49    全文表示欄
50    返信メッセージ入力欄
51    タイトル入力欄
52    本文入力欄
53    添付ファイル指定欄
55    返信ボタン
61    カテゴリ選択欄
62    対象店舗タイプ選択欄
63    対象地域選択欄
64    対象者選択欄
65    キーワード入力欄
【図１】
2012168741.tif 000003
【図２】
2012168741.tif 000004
【図３】
2012168741.tif 000005
【図４】
2012168741.tif 000006
【図５】
2012168741.tif 000007
【図６】
2012168741.tif 000008
【図７】
2012168741.tif 000009